(57)【要約】【課題】防護柵付き擁壁構造物を所定勾配の斜面に沿って構築する場合に有用な擁壁ブロックを提供する。【解決手段】擁壁ブロックＲＢは底版部ＲＢａと側版部ＲＢｂと支柱支持部ＲＢｃとを一体に有するＬ形を成し、該支柱支持部ＲＢｃは側版部ＲＢｂの上部に位置していてその上面は底版部ＲＢａの下面と非平行で前記斜面の勾配に略合致した勾配の傾斜面ＲＢｃ１となっており、該傾斜面ＲＢｃ１には防護柵ＲＦ用の支柱ＲＦａの下端部を差し込むための支柱差込穴ＲＢｃ２が形成されている。【選択図】図３
2013072244.tif 000002
【特許請求の範囲】
【請求項１】
防護柵付き擁壁構造物を所定勾配の斜面に沿って構築する際に用いられる擁壁ブロックであって、
該擁壁ブロックは底版部と側版部と支柱支持部とを一体に有するＬ形を成し、
該支柱支持部は側版部の上部に位置していてその上面は底版部の下面と非平行で前記斜面の勾配に略合致した勾配の傾斜面となっており、
該傾斜面には防護柵用の支柱の下端部を差し込むための支柱差込穴が形成されている、
ことを特徴とする擁壁ブロック。
【請求項２】
上から見て直線的或いは曲線的に並設された複数の擁壁ブロックと、該複数の擁壁ブロックにその並びに準じて設置された防護柵とから構成され、所定勾配の斜面に沿って構築された防護柵付き擁壁構造物であって、
前記擁壁ブロックとして請求項１に記載の擁壁ブロックが用いられている、
ことを特徴とする防護柵付き擁壁構造物。
【発明の詳細な説明】
【技術分野】
【０００１】
本発明は、道路の路肩等に防護柵付き擁壁構造物を構築する際に用いられる擁壁ブロックと、該擁壁ブロックを用いて構築された防護柵付き擁壁構造物に関する。
【背景技術】
【０００２】
道路の路肩等に構築されている防護柵付き擁壁構造物は、一般に、上から見て直線的或いは曲線的に並設された複数の擁壁ブロックと、該複数の擁壁ブロックにその並びに準じて設置された防護柵とから構成されている。
【０００３】
前記擁壁ブロックに関し、下記特許文献１には、底面部と縦壁部とフェンス用支柱受とを有するフェンス用擁壁が開示されている。また、下記特許文献２には、底版と側版とを有する擁壁と、該擁壁に連結された笠ブロックとから構成され、擁壁及び笠ブロックに支柱嵌入用の下穴及び上穴を設けたブロックが開示されている。
【０００４】
ところで、前記防護柵付き擁壁構造物を所定勾配の斜面に沿って構築する場合、前者のフェンス用擁壁は底面部の下面と縦壁部の上面（フェンス用支柱受の上面）とが略平行であるため、該フェンス用擁壁を設置するための基礎として前記斜面の勾配に略合致した勾配の基礎面を有するものを使用しなければならず、基礎作製時の勾配管理が面倒で作製時間が嵩むことによって構築コストが増加する不具合がある。これに対し、後者のブロックは底版の下面と笠ブロックの上面とが非平行であるため、笠ブロックの上面の勾配を前記斜面の勾配と略合致させることによって、該ブロックを設置するための基礎として水平な基礎面を有するものを使用でき、前者のフェンス用擁壁に比べて基礎の作製を容易且つ短時間で行える利点がある。
【０００５】
しかしながら、後者のブロックは相互連結された擁壁及び笠ブロックから成るため、前記防護柵付き擁壁構造物を所定勾配の斜面に沿って構築する場合、構築前或いは構築途中において擁壁と笠ブロックとを連結する作業がブロック単位で必要となり、該連結作業に要する労力及び時間の影響によって構築コストが増加する不具合がある。
【先行技術文献】
【特許文献】
【０００６】
【特許文献１】実開昭０３−０２５６３５号公報
【特許文献２】特開平２００２−１８０４８１号公報
【発明の概要】
【発明が解決しようとする課題】
【０００７】
本発明の目的は、防護柵付き擁壁構造物を所定勾配の斜面に沿って構築する場合に有用な擁壁ブロックと、該擁壁ブロックを用いて構築された防護柵付き擁壁構造物を提供することにある。
【課題を解決するための手段】
【０００８】
前記目的を達成するため、本発明（擁壁ブロック）は、防護柵付き擁壁構造物を所定勾配の斜面に沿って構築する際に用いられる擁壁ブロックであって、該擁壁ブロックは底版部と側版部と支柱支持部とを一体に有するＬ形を成し、該支柱支持部は側版部の上部に位置していてその上面は底版部の下面と非平行で前記斜面の勾配に略合致した勾配の傾斜面となっており、該傾斜面には防護柵用の支柱の下端部を差し込むための支柱差込穴が形成されている、ことをその特徴とする。
【０００９】
また、本発明（防護柵付き擁壁構造物）は、上から見て直線的或いは曲線的に並設された複数の擁壁ブロックと、該複数の擁壁ブロックにその並びに準じて設置された防護柵とから構成され、所定勾配の斜面に沿って構築された防護柵付き擁壁構造物であって、前記擁壁ブロックとして前述の擁壁ブロックが用いられている、ことをその特徴とする。
【発明の効果】
【００１０】
本発明（擁壁ブロック及びこれを用いて構築された防護柵付き擁壁構造物）によれば、擁壁ブロックの支柱支持部の上面が底版部の下面と非平行で前記斜面の勾配に略合致した勾配の傾斜面となっているため、擁壁ブロックを設置するための基礎として水平な基礎面を有するものを使用できる。つまり、前記斜面の勾配に略合致した勾配の基礎面が必要となる従来例における不具合（基礎作製時の勾配管理が面倒で作製時間が嵩むことによる構築コストの増加）を払拭して、防護柵付き擁壁構造物を構築する際における基礎の作製を容易且つ短時間で行える。
【００１１】
また、擁壁ブロックが底版部と側版部と前記傾斜面を有する支柱支持部とを一体に有するものであるため、擁壁と笠ブロックとを連結する作業がブロック単位で必要となる従来例における不具合（連結作業に要する労力及び時間の影響による構築コストの増加）を払拭して、防護柵付き擁壁構造物を構築する際における擁壁ブロックの設置を容易且つ短時間で行える。
【００１２】
本発明の前記目的とそれ以外の目的と、構成特徴と、作用効果は、以下の説明と添付図面によって明らかとなる。
【図面の簡単な説明】
【００１３】
【図１】図１は、防護柵付き擁壁構造物の背面図である。
【図２】図２は、図１のＳ１−Ｓ１線断面図である。
【図３】図３（Ａ）は、図１に示した擁壁ブロックの背面図、図３（Ｂ）は、同擁壁ブロックの側面図、図３（Ｃ）は、同擁壁ブロックの平面図である。
【図４】図４（Ａ）は、図３（Ｃ）の部分拡大図、図４（Ｂ）は、図４（Ａ）の縦断面図である。
【図５】図５（Ａ）と図５（Ｂ）は、他の防護柵をそれぞれ示す図である。
【図６】図６は、図１に示した防護柵付き擁壁構造物の変形形態を示す図である。
【発明を実施するための形態】
【００１４】
図１及び図２に示した防護柵付き擁壁構造物ＲＳは、ｎ％勾配（図中の勾配は約１０％）の斜面に沿って構築されたものであって、上から見て直線的或いは曲線的に並設され適当な金具を用いて連結された複数の擁壁ブロックＲＢと、該複数の擁壁ブロックＲＢにその並びに準じて設置された防護柵ＰＦとから構成されている。因みに、図１及び図２中のＰＦａは防護柵ＰＦの支柱を示し、ＰＦｂは防護柵ＰＦの柵本体を示し、ＢＡは基礎を示し、ＢＡａは基礎面を示し、ＥＳは土砂を示し、ＳＳは路面を示す。
【００１５】
前記擁壁ブロックＲＢはプレキャストコンクリートブロックであって、図３（Ａ）〜図３（Ｃ）に示した背面図、側面図及び平面図から分かるように、底版部ＲＢａと側版部ＲＢｂと支柱支持部ＲＢｃとを一体に有するＬ形を成している。因みに、図３（Ａ）〜図３（Ｃ）中のＷは擁壁ブロックＲＢの幅（最大幅）を示し、Ｌは擁壁ブロックＲＢの長さを示し、Ｈｍａｘは擁壁ブロックＲＢの最大高さを示し、Ｈｍｉｎは擁壁ブロックＲＢの最小高さを示す。
【００１６】
底版部ＲＢａは、図３（Ｂ）中の右から左に向かって幅Ｗと厚さ（符号省略）が徐々に減少する部位と幅Ｗのみが徐々に減少する部位とを連続して備えている。側版部ＲＢｂは、図３（Ｂ）中の下から上に向かって厚さ（符号省略）が徐々に減少する部位と厚さが一定の部位とを連続して備えている。
【００１７】
支柱支持部ＲＢｃは側版部ＲＢｂの上部に位置し、その厚さ（符号省略）は側版部ＲＢｂの最小厚さよりも大きく且つ一定であり、その幅は側版部ＲＢｂの幅Ｗと同じである。また、支柱支持部ＲＢｃの上面は前記斜面の勾配（ｎ％）に略合致したｎ％勾配の傾斜面ＲＢｃ１となっており、該傾斜面ＲＢｃ１は底版部ＲＢａの下面と非平行である。さらに、支柱支持部ＲＢｃの上面（傾斜面ＲＢｃ１）には防護柵ＰＦの支柱ＰＦａの下端部を差し込むための支柱差込穴ＲＢｃ２が幅方向に間隔をおいて２個形成されている。
【００１８】
各支柱差込穴ＲＢｃ２は、図４（Ａ）及び図４（Ｂ）に示した部分拡大図及びその縦断面図から分かるように、支柱ＰＦａの下端部を差し込んで固定するのに十分な深さ（符号省略）を有すると共に、支柱ＰＦａの下端部を余裕を持って差し込める大きさの開口ＲＢｃ２ａと底面ＲＢｃ２ｂを有している。開口ＲＢｃ２ａは相対する２つの半円を直線で結んだような形状を成しており、底面ＲＢｃ２ｂは開口ＲＢｃ２ａと略平行で開口ＲＢｃ２ａと相似形で一回り小さな形状を成している。各支柱差込穴ＲＢｃ２は各々の中心線が傾斜面ＲＢｃ１と略直角を成すように傾いて形成されているため、底面ＲＢｃ２ｂの勾配は前記斜面の勾配（ｎ％）に略合致していて傾斜面ＲＢｃ１と略平行である。
【００１９】
前記防護柵ＰＦは、図１及び図２に示した正面図及び断面図から分かるように、複数の支柱ＰＦａと、ボルト等の手段によって該支柱ＰＦａに取り付けられた柵本体ＰＦｂとから成る。
【００２０】
各支柱ＰＦａは略円筒形で、擁壁ブロックＲＢの支柱差込穴ＲＢｃ２の開口ＲＢｃ２ａ及び底面ＲＢｃ２ｂよりも小さな外径を有している。また、各支柱ＰＦａの下端面は前記斜面の勾配（ｎ％）に略合致したｎ％勾配の傾斜面ＰＦａ１となっている。各支柱ＰＦａはその下端部を擁壁ブロックＲＢの支柱差込穴ＲＢｃ２に差し込まれ、各支柱ＰＦａが略垂直になるように、該支柱差込穴ＲＢｃ２の余剰空間に充填されたモルタルやコンクリート等の固定剤によって固定されている。先に述べたように、各支柱差込穴ＲＢｃ２の底面ＲＢｃ２ｂの勾配と各支柱ＰＦａの傾斜面ＰＦａ１の勾配とが前記斜面の勾配（ｎ％）に略合致しているため、各支柱ＰＦａはその傾斜面ＰＦａ１を底面ＲＢｃ２ｂに面接触した状態下で略垂直に固定されている。
【００２１】
柵本体ＰＦｂは横棒と縦棒との組み合わせから成る。防護柵ＰＦは前記斜面用のものであるため、柵本体ＰＦｂは該斜面の勾配（ｎ％）に対応した傾き及び形状を有している。この柵本体ＰＦｂは所定の長さ、例えば支柱ＰＦａの配置間隔に対応した長さを有しており、ボルト等の手段によって該支柱ＰＦａに取り付けられている。
【００２２】
ここで、図１及び図２に示した防護柵付き擁壁構造物ＲＳの施工方法について説明する。先ず、ｎ％勾配の斜面における施工箇所の土砂ＥＳを掘削し、擁壁ブロックＲＢの幅Ｗに整合した幅を有する水平な基礎面ＢＡａを段違いに作製する。隣接する基礎面ＢＡａの段差寸法は、擁壁ブロックＲＢの最大高さＨｍａｘから最小高さＨｍｉｎを減じた寸法に略合致している。
【００２３】
次に、各基礎面ＢＡａ毎に擁壁ブロックＲＢを載置し、複数の擁壁ブロックＲＢが上から見て直線的或いは曲線的に並ぶようにし、隣接する擁壁ブロックＲＢ相互を適当な金具を用いて連結する。そして、各擁壁ブロックＲＢの背面側及び正面側に土砂ＥＳや裏込材等を盛土する。先に述べたように、隣接する基礎面ＢＡａの段差寸法＝Ｈｍａｘ−Ｈｍｉｎであるため、各擁壁ブロックＲＢの傾斜面ＲＢｃ１は略連続した１つの傾斜面として現れ、その勾配は前記斜面の勾配（ｎ％）に略合致する。
【００２４】
次に、並設後の各擁壁ブロックＲＢの支柱差込穴ＲＢｃ２の一部或いは全部に防護柵ＰＦ用の支柱ＰＦａの下端部を差し込むと共に余剰空間にモルタルやコンクリート等の固定剤を充填し、各支柱ＰＦａが略垂直になるように該下端部を固定する。そして、不使用の支柱差込穴ＲＢｃ２に砂や砂利等の充填材を入れてその穴埋めを行う。
【００２５】
次に、固定した各支柱ＰＦａに防護柵ＰＦ用の柵本体ＰＦｂをボルト等の手段によって取り付けて、防護柵ＰＦを複数の擁壁ブロックＲＢの並びに準じて設置する。以上で防護柵付き擁壁構造物ＲＳの施工が完了する。
【００２６】
このように、前記擁壁ブロックＲＢ及びこれを用いて構築された防護柵付き擁壁構造物ＲＳによれば、防護柵付き擁壁構造物ＲＳを所定勾配の斜面に沿って構築する場合において下記の効果を得ることができる。
【００２７】
（１）擁壁ブロックＲＢの支柱支持部ＲＢｃの上面が底版部ＲＢａの下面と非平行で前記斜面の勾配（ｎ％）に略合致したｎ％勾配の傾斜面ＲＢｃ１となっているため、擁壁ブロックＲＢを設置するための基礎ＢＡとして水平な基礎面ＢＡａを有するものを使用できる。つまり、前記斜面の勾配（ｎ％）に略合致した勾配の基礎面が必要となる従来例における不具合（基礎作製時の勾配管理が面倒で作製時間が嵩むことによる構築コストの増加）を払拭して、所定勾配の斜面に沿って防護柵付き擁壁構造物ＲＳを構築する際における基礎ＢＡの作製を容易且つ短時間で行える。
【００２８】
（２）擁壁ブロックＲＢが底版部ＲＢａと側版部ＲＢｂと前記傾斜面ＲＢｃ１を有する支柱支持部ＲＢｃとを一体に有するものであるため、擁壁と笠ブロックとを連結する作業がブロック単位で必要となる従来例における不具合（連結作業に要する労力及び時間の影響による構築コストの増加）を払拭して、所定勾配の斜面に沿って防護柵付き擁壁構造物ＲＳを構築する際における擁壁ブロックＲＢの設置を容易且つ短時間で行える。
【００２９】
（３）擁壁ブロックＲＢの支柱差込穴ＲＢｃ２の底面ＲＢｃ２ｂの勾配と防護柵ＰＦの支柱ＰＦａの傾斜面ＰＦａ１の勾配とが前記斜面の勾配（ｎ％）に略合致しており、支柱ＰＦａをその傾斜面ＰＦａ１が底面ＲＢｃ２ｂに面接触した状態下で略垂直に固定できるため、所定勾配の斜面に沿って防護柵付き擁壁構造物ＲＳを構築する際における擁壁ブロックＲＢに対する支柱ＰＦａの立設を安定且つ的確に行える。
【００３０】
尚、図１及び図２には、横棒と縦棒との組み合わせから成る柵本体ＰＦｂを有する防護柵ＰＦを示したが、用途に応じて柵本体の態様が異なる防護柵、例えば、図５（Ａ）に示したような横棒と網との組み合わせから成る柵本体ＰＦｂ１を有する防護柵ＰＦ１や、図５（Ｂ）に示したような少なくとも１つの横長プレートから成る柵本体ＰＦｂ２を有する防護柵ＰＦ２等が適宜使用できることは言うまでも無い。
【００３１】
また、図１、図２及び図４（Ｂ）には、防護柵ＰＦの各支柱ＰＦａの下端面が前記斜面の勾配（ｎ％）に略合致したｎ％勾配の傾斜面ＰＦａ１となっていて、各支柱ＰＦａがその傾斜面ＰＦａ１を支柱差込穴ＲＢｃ２の底面ＲＢｃ２ｂに面接触した状態下で略垂直に固定されているものを示したが、各支柱ＰＦａの下端面は該支柱ＰＦａの軸線に直交する非傾斜面となっていても良く、この場合には各支柱ＰＦａはその非傾斜面を支柱差込穴ＲＢｃ２の底面ＲＢｃ２ｂに点或いは線接触した状態下で略垂直に固定されることになる。
【００３２】
さらに、図１及び図２には、同一サイズの複数の擁壁ブロックＲＢを用いて構築された防護柵付き擁壁構造物ＲＳを示したが、図６に示した防護柵付き擁壁構造物ＲＳ’のように、最大高さＨｍａｘが擁壁ブロックＲＢ（図中中央）の最小高さＨｍｉｎに略一致した擁壁ブロックＲＢ１（図中左側）と、最小高さＨｍｉｎが擁壁ブロックＲＢ（図中中央）の最大高さＨｍａｘに略一致した擁壁ブロックＲＢ２（図中左側）を用意すれば、単一の基礎面ＢＡａ上に複数の擁壁ブロックＲＢ、ＲＢ１及びＲＢ２を載置できるので、基礎ＢＡに形成すべき水平な基礎面ＢＡａの数を減少して基礎ＢＡの作製をより容易且つ短時間で行える。
【００３３】
さらに、図１及び図２には、各擁壁ブロックＲＢの正面の殆ど全てが露出し背面が露出していない防護柵付き擁壁構造物ＲＳを示したが、各擁壁ブロックＲＢの正面及び背面が露出していない防護柵付き擁壁構造物や、各擁壁ブロックＲＢの正面及び背面の殆ど全てが露出した防護柵付き擁壁構造物等を構築する場合でも、前記同様の効果が得られる。
【００３４】
さらに、図１、図２及び図３（Ａ）〜図３（Ｃ）には、傾斜面ＲＢｃ１に２個の支柱差込穴ＲＢｃ２を有する擁壁ブロックＲＢを示したが、該支柱差込穴ＲＢｃ２の数は１個でも良いし３個以上でも良い。
【００３５】
さらに、図１、図２及び図３（Ａ）〜図３（Ｃ）には、背面側に底版部ＲＢａが存する擁壁ブロックＲＢを示したが、該擁壁ブロックＲＢの正面側に底版部ＲＢａが存する形状としても、前記同様の効果が得られる。
【符号の説明】
【００３６】
ＲＳ，ＲＳ’…防護柵付き擁壁構造物、ＲＢ…擁壁ブロック、ＲＢａ…底版部、ＲＢｂ…側版部、ＲＢｃ…支柱支持部、ＲＢｃ１…傾斜面、ＲＢｃ２…支柱差込穴、ＰＦ，ＰＦ１，ＰＦ２…防護柵、ＰＦａ…支柱、ＰＦｂ，ＰＦｂ１，ＰＦｂ２…柵本体。
【図１】
2013072244.tif 000003
【図２】
2013072244.tif 000004
【図３】
2013072244.tif 000005
【図４】
2013072244.tif 000006
【図５】
2013072244.tif 000007
【図６】
2013072244.tif 000008